(57)【要約】【課題】    髭や体毛、肌等に対し優しく且つ安全迅速に剃る作業を行え、また、剃刀刃の劣化度合いの軽減を図り、剃刀刃の使用可能時間を向上させる。【解決手段】    剃刀刃支持部材の縦方向中心線Ａ−Ａ´を挟んだ一方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、剃刀刃支持部材の縦方向中心線Ａ−Ａ´を挟んだ他方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、前記一方及び、他方における各剃刀刃の刃先で、前記縦方向中心線Ａ−Ａ´を挟んで対称形状を形造るように配置し固定した。【選択図】図１
2015016284.tif 000002
【特許請求の範囲】
【請求項１】
剃刀刃支持部材の縦方向中心線Ａ−Ａ´を挟んだ一方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、剃刀刃支持部材の縦方向中心線Ａ−Ａ´を挟んだ他方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、前記一方及び、他方における各剃刀刃の刃先で、前記縦方向中心線Ａ−Ａ´を挟んで対称形状を形造るように配置し固定したことを特徴とする髭剃り用具。
【請求項２】
筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と反対側で交差するようにある間隔を持って平行状に積み重ね、前記各剃刀刃の刃先で同一表面上に略台形状を形造るように配置して固定し、前記剃刀刃支持部材が前記筐体に保持又は固定され包含されていることを特徴とする前記筐体を有す剃刀カートリッジ式の請求項１に記載の髭剃り用具。
【請求項３】
単体での剃刀刃を上下方向から見た平面形状が平行四辺形状に成形され、一辺に剃り刃を有す前方部分と、前記前方部分と向かい合う後方部分と、前記前方部分から前記後方部分まで延びる一方の側面部分及び、他方の側面部分と、を有す剃刀刃を採用したことを特徴とする剃刀カートリッジ式の請求項１、２又は、請求項７又は、１５に記載の髭剃り用具及び、Ｔ型一体式の請求項１３，１４に記載の髭剃り用具。
【請求項４】
単体での剃刀刃を上下方向から見た平面形状が一組の対辺が平行する台形状に成形され、下底一辺に剃り刃を有す下底前方部分と、前記下底前方部分と向かい合う上底後方部分と、前記下底前方部分から前記上底後方部分まで延びる一方の脚部分及び、他方の脚部分と、を有す剃刀刃を採用したことを特徴とする剃刀カートリッジ式の請求項１、２又は、請求項７又は、１５に記載の髭剃り用具及び、Ｔ型一体式の請求項１３、１４に記載の髭剃り用具。
【請求項５】
単体での剃刀刃を上下方向から見た平面形状が一組の対辺が平行する台形状に成形され、上底一辺に剃り刃を有す上底前方部分と、前記上底前方部分と向かい合う下底後方部分と、前記上底前方部分から前記下底後方部分まで延びる一方の脚部分及び、他方の脚部分と、を有す剃刀刃を採用したことを特徴とする剃刀カートリッジ式の請求項１、２又は、請求項７又は、１５に記載の髭剃り用具及び、Ｔ型一体式の請求項１３、１４に記載の髭剃り用具。
【請求項６】
剃刀刃支持部材の一方及び、他方における各剃刀刃の内、縦方向中心線Ａ−Ａ´に最も近い両剃刀刃の刃渡りと、最も遠い両剃刀刃の刃渡りを、前記最も近い両剃刀刃と、前記最も遠い両剃刀刃間に位置する他の各剃刀刃の刃渡りに対して短かく設定し、前記縦方向中心線Ａ−Ａ´に最も近い前記両剃刀刃と、最も遠い前記両剃刀刃間に位置する他の各剃刀刃と組み合わせたことを特徴とする剃刀カートリッジ式の請求項２又は、７に記載の髭剃り用具及び、Ｔ型一体式の請求項１３、１４に記載の髭剃り用具。
【請求項７】
筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´と反対側に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と同方向側で交差するようにある間隔を持って平行状に積み重ね、前記各剃刀刃の刃先で同一表面上に略逆台形状を形造るように配置して固定し、前記剃刀刃支持部材が前記筐体に保持又は固定され包含されていることを特徴とする前記筐体を有す剃刀カートリッジ式の請求項１に記載の髭剃り用具。
【請求項８】
縦方向中心線Ａ−Ａ´を挟んだ剃刀刃支持部材の一方及び、他方における各剃刀刃の前方部分と後方部分それぞれに、剃刀刃を、前記剃刀刃の刃先が、横方向中心線Ｃ−Ｃ´と平行し、剃る方向を向いて配置したことを特徴とする剃刀カートリッジ式の請求項２又は、請求項７又は、請求項１５に記載の髭剃り用具及び、Ｔ型一体式の請求項１３、１４に記載の髭剃り用具。
【請求項９】
縦方向中心線Ａ−Ａ´を挟んだ剃刀刃支持部材の一方及び、他方における各剃刀刃の前方部分に、剃刀刃を、前記剃刀刃の刃先が、横方向中心線Ｃ−Ｃ´と平行し、剃る方向を向いて配置したことを特徴とする剃刀カートリッジ式の請求項２又は、請求項７又は、請求項１５に記載の髭剃り用具及び、Ｔ型一体式の請求項１３、１４に記載の髭剃り用具。
【請求項１０】
縦方向中心線Ａ−Ａ´を挟んだ剃刀刃支持部材の一方及び、他方における各剃刀刃の後方部分に、剃刀刃を、前記剃刀刃の刃先が、横方向中心線Ｃ−Ｃ´と平行し、剃る方向を向いて配置したことを特徴とする剃刀カートリッジ式の請求項２又は、請求項７又は、請求項１５に記載の髭剃り用具及び、Ｔ型一体式の請求項１３、１４に記載の髭剃り用具。
【請求項１１】
縦方向中心線Ａ−Ａ´を挟んだ剃刀刃支持部材の一方及び、他方における各剃刀刃の内、前記縦方向中心線Ａ−Ａ´に最も近い一方及び、他方の両剃刀刃間に、剃刀刃を、前記剃刀刃の刃先が、横方向中心線Ｃ−Ｃ´の前方で前記横方向中心線Ｃ−Ｃ´と平行し、剃る方向を向いて配置し固定したことを特徴とする剃刀カートリッジ式の請求項２に記載の髭剃り用具及び、Ｔ型一体式の請求項１３に記載の髭剃り用具。
【請求項１２】
縦方向中心線Ａ−Ａ´を挟んだ剃刀刃支持部材の一方及び、他方における各剃刀刃の内、前記縦方向中心線Ａ−Ａ´に最も近い一方及び、他方の両剃刀刃間に、剃刀刃を、前記剃刀刃の刃先が、横方向中心線Ｃ−Ｃ´の後方で前記横方向中心線Ｃ−Ｃ´と平行し、剃る方向を向いて配置し固定したことを特徴とする剃刀カートリッジ式の請求項７に記載の髭剃り用具及び、Ｔ型一体式の請求項１４に記載の髭剃り用具。
【請求項１３】
筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と反対側で交差するようにある間隔を持って平行状に積み重ね、前記各剃刀刃の刃先で同一表面上に略台形状を形造るように配置して固定し、前記剃刀刃支持部材が前記剃刀刃支持部材の裏側中央から所定の傾斜角度で延出した棒状の柄からなるＴ型一体式の髭剃り用具把持部材に保持又は固定されていることを特徴とするＴ型一体式の請求項１に記載の髭剃り用具。
【請求項１４】
筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´と反対側に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と同方向側で交差するようにある間隔を持って平行状に積み重ね、前記各剃刀刃の刃先で同一表面上に略逆台形状を形造るように配置して固定し、前記剃刀刃支持部材が前記剃刀刃支持部材の裏側中央から所定の傾斜角度で延出した棒状の柄からなるＴ型一体式の髭剃り用具把持部材に保持又は固定されていることを特徴とするＴ型一体式の請求項１に記載の髭剃り用具。
【請求項１５】
筐体に包含された剃刀刃支持部材の縦方向中心線Ａ−Ａ´を挟んだ一方に、一辺に剃り刃を有す複数の剃刀刃を、前記一方の各剃刀刃の刃渡りを二等分する一方の刃渡り二等分線Ｅ−Ｅ´が前記縦方向中心線Ａ−Ａ´と平行し、前記各剃刀刃の刃先が前記縦方向中心線Ａ−Ａ´に略向かうようにある間隔を持って平行状に積み重ねて、前記一方の各剃刀刃の刃先で同一表面上に略平行四辺形状を形造る位置に配置して固定し、また、前記剃刀刃支持部材の縦方向中心線Ａ−Ａ´を挟んだ他方に、一辺に剃り刃を有す複数の剃刀刃を、前記他方の各剃刀刃の刃渡りを二等分する他方の刃渡り二等分線Ｆ−Ｆ´が前記縦方向中心線Ａ−Ａ´と平行し、前記各剃刀刃の刃先が前記縦方向中心線Ａ−Ａ´に略向かうようにある間隔を持って平行状に積み重ねて、前記他方の各剃刀刃の刃先で同一表面上に略平行四辺形状を形造る位置に配置して固定し、前記剃刀刃支持部材が前記筐体に保持又は固定され包含されていることを特徴とする前記筐体を有す剃刀カートリッジ式の請求項１に記載の髭剃り用具。
【発明の詳細な説明】
【技術分野】
【０００１】  本発明は、髭や体毛等を剃る作業を、安全且つ迅速に行う髭剃り具に関し、さらに、剃刀カートリッジ式の髭剃り用具における剃刀カートリッジや、剃刀刃と前記剃刀刃の髭剃り用具把持部材等が一体化されたＴ型一体式の髭剃り用具等の髭剃り用具に関する。
【背景技術】
【０００２】  髭や体毛等を剃る作業を、安全且つ迅速に行うための髭剃り用具は、従来より様々な方法が考案され実用化されている。【０００３】  例えば、複数の剃刀刃を有す剃刀カートリッジを装着した剃刀カートリッジ式の髭剃り用具や、剃刀刃と前記剃刀刃の髭剃り用具把持部材等が一体化されたＴ型一体式の髭剃り用具等によって、安全且つ迅速に髭や体毛等を剃る作業を行うことができるようになった。
【発明の開示】
【発明が解決しようとしている課題】
【０００４】  しかし、複数の剃刀刃を有す剃刀カートリッジや、Ｔ型一体式の髭剃り用具においても、髭や体毛等を剃る作業を長期に亘って繰し行うと剃刀刃は劣化し、結果的に、前記剃刀カートリッジや、Ｔ型一体式の髭剃り用具を交換することによって、対処してきた。
【０００５】  本発明は、このような課題に鑑みてなされたもので、従来の剃刀カートリッジや、Ｔ型一体式の髭剃り用具に対して、髭や体毛、肌等に対し優しく且つ安全迅速に剃る作業を行え、また、剃刀刃の劣化度合いの軽減を図り、剃刀刃の使用可能時間を向上させる髭剃り用具を提供することをその目的とする。
【課題を解決するための手段】
【０００６】  上記目的を達成するために、本発明の髭剃り用具においては、剃刀刃支持部材の縦方向中心線Ａ−Ａ´を挟んだ一方に、一辺に剃り刃を有す複数の剃刀刃を、前記各剃刃刃における刃先一辺が前記縦方向中心線Ａ−Ａ´と一直角及び、二直角以外の同一角度を成すとともに、剃る方向に略向かうようにある間隔を持って平行状に積み重ね、剃刀刃支持部材の縦方向中心線Ａ−Ａ´を挟んだ他方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、前記一方及び、他方における各剃刀刃の刃先で、前記縦方向中心線Ａ−Ａ´を挟んで対称形状を形造るように配置し固定したことを特徴とする。
【０００７】  上記目的を達成するために、本発明の剃刀カートリッジにおいては、筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と反対側で交差するようにある間隔を持って平行状に積み重ね、前記各剃刀刃の刃先で同一表面上に略台形状を形造るように配置して固定し、前記剃刀刃支持部材が前記筐体に保持又は固定され包含されていることを特徴とする。
【０００８】  本発明が採用した剃刀カートリッジ及び、Ｔ型一体式の髭剃り用具においては、単体での剃刀刃を上下方向から見た平面形状が平行四辺形状に成形され、一辺に剃り刃を有す前方部分と、前記前方部分と向かい合う後方部分と、前記前方部分から前記後方部分まで延びる一方の側面部分及び、他方の側面部分と、を有す剃刀刃を採用したことを特徴とする。
【０００９】  本発明が採用した剃刀カートリッジ及び、Ｔ型一体式の髭剃り用具においては、単体での剃刀刃を上下方向から見た平面形状が一組の対辺が平行する台形状に成形され、下底一辺に剃り刃を有す下底前方部分と、前記下底前方部分と向かい合う上底後方部分と、前記下底前方部分から前記上底後方部分まで延びる一方の脚部分及び、他方の脚部分と、を有す剃刀刃を採用したことを特徴とする。
【００１０】  本発明が採用した剃刀カートリッジ及び、Ｔ一体式の型髭剃り用具においては、単体での剃刀刃を上下方向から見た平面形状が一組の対辺が平行する台形状に成形され、上底一辺に剃り刃を有す上底前方部分と、前記上底前方部分と向かい合う下底後方部分と、前記上底前方部分から前記下底後方部分まで延びる一方の脚部分及び、他方の脚部分と、を有す剃刀刃を採用したことを特徴とする。
【００１１】  本発明が採用した剃刀カートリッジ及び、Ｔ型一体式の髭剃り用具においては、剃刀刃支持部材の一方及び、他方における各剃刀刃の内、縦方向中心線Ａ−Ａ´に最も近い両剃刀刃の刃渡りと、最も遠い両剃刀刃の刃渡りを、前記最も近い両剃刀刃と、前記最も遠い両剃刀刃間に位置する他の各剃刀刃の刃渡りに対して短かく設定し、前記縦方向中心線Ａ−Ａ´に最も近い前記両剃刀刃と、最も遠い前記両剃刀刃間に位置する他の各剃刀刃と組み合わせたことを特徴とする。
【００１２】  本発明が採用した剃刀カートリッジにおいては、筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´と反対側に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と同方向側で交差するようにある間隔を持って平行状に積み重ね、前記各剃刀刃の刃先で同一表面上に略逆台形状を形造るように配置して固定し、前記剃刀刃支持部材が前記筐体に保持又は固定され包含されていることを特徴とする。
【００１３】  本発明が採用した剃刀カートリッジ及び、Ｔ型一体式の髭剃り用具においては、縦方向中心線Ａ−Ａ´を挟んだ剃刀刃支持部材の一方及び、他方における各剃刀刃の前方部分と後方部分それぞれに、剃刀刃を、前記剃刀刃の刃先が、横方向中心線Ｃ−Ｃ´と平行し、剃る方向を向いて配置したことを特徴とする。
【００１４】  本発明が採用した剃刀カートリッジ及び、Ｔ型一体式の髭剃り用具においては、縦方向中心線Ａ−Ａ´を挟んだ剃刀刃支持部材の一方及び、他方における各剃刀刃の前方部分に、剃刀刃を、前記剃刀刃の刃先が、横方向中心線Ｃ−Ｃ´と平行し、剃る方向を向いて配置したことを特徴とする。
【００１５】  本発明が採用した剃刀カートリッジ及び、Ｔ型一体式の髭剃り用具においては、縦方向中心線Ａ−Ａ´を挟んだ剃刀刃支持部材の一方及び、他方における各剃刀刃の後方部分に、剃刀刃を、前記剃刀刃の刃先が、横方向中心線Ｃ−Ｃ´と平行し、剃る方向を向いて配置したことを特徴とする。
【００１６】  本発明が採用した剃刀カートリッジ及び、Ｔ型一体式の髭剃り用具においては、縦方向中心線Ａ−Ａ´を挟んだ剃刀刃支持部材の一方及び、他方における各剃刀刃の内、前記縦方向中心線Ａ−Ａ´に最も近い一方及び、他方の両剃刀刃間に、剃刀刃を、前記剃刀刃の刃先が、横方向中心線Ｃ−Ｃ´の前方で前記横方向中心線Ｃ−Ｃ´と平行し、剃る方向を向いて配置し固定したことを特徴とする。
【００１７】  本発明が採用した剃刀カートリッジ及び、Ｔ型一体式の髭剃り用具においては、縦方向中心線Ａ−Ａ´を挟んだ剃刀刃支持部材の一方及び、他方における各剃刀刃の内、前記縦方向中心線Ａ−Ａ´に最も近い一方及び、他方の両剃刀刃間に、剃刀刃を、前記剃刀刃の刃先が、横方向中心線Ｃ−Ｃ´の後方で前記横方向中心線Ｃ−Ｃ´と平行し、剃る方向を向いて配置し固定したことを特徴とする。
【００１８】  本発明が採用したＴ型一体式の髭剃り用具においては、筐体に包含された剃刀刃支持部材の縦方向中心線Ａ−Ａ´を挟んだ一方及び、他方それぞれに、一辺に剃り刃を有す複数の剃刀刃を、前記剃刃刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と反対側で交差するようにある間隔を持って平行状に積み重ね、前記各剃刀刃の刃先で同一表面上に略台形状を形造るように配置して固定し、前記剃刀刃支持部材が前記剃刀刃支持部材の裏側中央から所定の傾斜角度で延出した棒状の柄からなるＴ型一体式の髭剃り用具把持部材に保持又は固定されていることを特徴とする。
【００１９】  本発明が採用したＴ型一体式の髭剃り用具においては、筐体に包含された剃刀刃支持部材の縦方向中心線Ａ−Ａ´を挟んだ一方及び、他方それぞれに、一辺に剃り刃を有す複数の剃刀刃を、前記剃刀刃支持部材の一方及び、他方における各剃刀刃の刃渡りを二等分する刃渡り二等分線Ｂ−Ｂ´が前記縦方向中心線Ａ−Ａ´と直交し、前記各剃刀刃の刃先が前記縦方向中心線Ａ−Ａ´と反対側に略向かうとともに、前記各剃刀刃の刃先延長線一方が前記縦方向中心線Ａ−Ａ´と前記刃渡り二等分線Ｂ−Ｂ´との交点Ｐより前記縦方向中心線Ａ−Ａ´上の剃る方向と同方向側で交差するようにある間隔を持って平行状に積み重ね、前記各剃刀刃の刃先で同一表面上に略逆台形状を形造るように配置して固定し、前記剃刀刃支持部材が前記剃刀刃支持部材の裏側中央から所定の傾斜角度で延出した棒状の柄からなるＴ型一体式の髭剃り用具把持部材に保持又は固定されていることを特徴とする。
【００２０】  本発明が採用した剃刀カートリッジ式の髭剃り用具においては、筐体に包含された剃刀刃支持部材の縦方向中心線Ａ−Ａ´を挟んだ一方に、一辺に剃り刃を有す複数の剃刀刃を、前記一方の各剃刀刃の刃渡りを二等分する一方の刃渡り二等分線Ｅ−Ｅ´が前記縦方向中心線Ａ−Ａ´と平行し、前記各剃刀刃の刃先が前記縦方向中心線Ａ−Ａ´に略向かうようにある間隔を持って平行状に積み重ねて、前記一方の各剃刀刃の刃先で同一表面上に略平行四辺形状を形造る位置に配置して固定し、また、前記剃刀刃支持部材の縦方向中心線Ａ−Ａ´を挟んだ他方に、一辺に剃り刃を有す複数の剃刀刃を、前記他方の各剃刀刃の刃渡りを二等分する他方の刃渡り二等分線Ｆ−Ｆ´が前記縦方向中心線Ａ−Ａ´と平行し、前記各剃刀刃の刃先が前記縦方向中心線Ａ−Ａ´に略向かうようにある間隔を持って平行状に積み重ねて、前記他方の各剃刀刃の刃先で同一表面上に略平行四辺形状を形造る位置に配置して固定し、前記剃刀刃支持部材が前記筐体に保持又は固定され包含されていることを特徴とする。
【発明の効果】
【００２１】  本発明は、以上説明したように構成されているので、以下に記載されるような効果を奏する。
【００２２】  本発明による各髭剃り用具においては、複数の剃刀刃における刃先一辺が、縦方向中心線Ａ−Ａ´と一直角及び、二直角以外の同一角度を成す角度に設定されているために、従来の剃刀カートリッジ式や、Ｔ型一体式の髭剃り用具のように刃先一辺が前記縦方向中心線Ａ−Ａ´に対して直交せず傾斜し、さらに、前記縦方向中心線Ａ−Ａ´を挟んだ一方及び、他方における各剃刀刃の刃先一辺で、縦方向中心線Ａ−Ａ´を挟んで対称形状を形造るように前記各剃刀刃が剃刀刃支持部材に配置・固定されている。
よって、前記縦方向中心線Ａ−Ａ´を挟んだ一方の各剃刀刃の刃先一辺と、他方の各剃刀刃の刃先一辺で形造る各々の菱形における一つの対角線は、前記縦方向中心線Ａ−Ａ´上で、且つ、髭剃り用具の髭剃り方向中心線に重なり、髭剃り用具の過剰な横滑りを防止し、直進性を高めることができる。
【００２３】  また、例えば、前記各剃刀刃の傾斜角を縦方向中心線Ａ−Ａ´に対して、それぞれ四十五度に設定した場合、従来の各髭剃り用具のように剃刀刃を縦方向中心線Ａ−Ａ´に対して直交させた場合と比べ、髭や体毛等における直径の√２≒１，４１倍の長さの剃り刃で髭や体毛等を剃ることになり、結果的に、髭や体毛等を剃りやすく、また、髭や体毛、肌等に対して優しく対応することができ、さらに、剃刀刃への負担が軽減されることにより剃刀刃の耐久性の向上も図れる等、効果を合わせて得ることができる。
【００２４】  そして、平行四辺形状に成形された剃刀刃や、台形状に成形された剃刀刃は、矩形状に成形された剃刀刃と同様に、剃刀刃支持部材の一方に剃刀刃の一方面を表面にして配置し、剃刀刃支持部材の他方に剃刀刃の他方面を表面にして配置し、縦方向中心線Ａ−Ａ´を挟んだ両側の各剃刀刃に使用することができ、特に、台形状に成形され、下底一辺に剃り刃を有す剃刀刃を採用した場合には、縦横寸法を限定した剃刀カートリッジや、Ｔ型一体式の髭剃り用具では、長い刃先を確保することができる。
【００２５】  さらに、剃刀刃支持部材における各剃刀刃の内、縦方向中心線Ａ−Ａ´に最も近い剃刀刃と、最も遠い剃刀刃の刃渡りを、前記最も近い剃刀刃と、最も遠い剃刀刃間に位置する他の各剃刀刃の刃渡りに対して短く設定した剃刀刃を採用し組み合わせたことによって、前記各剃刀刃の刃先で、縦方向中心線Ａ−Ａ´を挟んだ同一表面上に略矩形状に近い形状を形造り、縦横寸法を限定した剃刀カートリッジや、Ｔ型一体式の髭剃り用具では、長い刃先を確保することができる。
【００２６】  そして、縦方向中心線Ａ−Ａ´を挟んだ剃刀刃支持部材の一方及び、他方における各剃刀刃の前方部分と後方部分又は、前方部分や、後方部分に、剃刀刃を、前記剃刀刃の刃先が、横方向中心線Ｃ−Ｃ´と平行し、髭剃り方向を向いて配置したことによって、剃り残し部分を剃ることができ、また、各剃刀刃の前方部分と後方部分又は、後方部分に、剃刀刃を配置した場合には、もみ上げ部分を整える作業を行うことができる剃刀カートリッジや、Ｔ型一体式の髭剃り用具を提供することができる。
【００２７】  また、縦方向中心線Ａ−Ａ´を挟んだ剃刀刃支持部材の一方及び、他方における各剃刀刃の内、前記縦方向中心線Ａ−Ａ´に最も近い一方及び、他方における各剃刀刃間に、剃刀刃を、前記剃刀刃の刃先が、横方向中心線Ｃ−Ｃ´と平行し、剃る方向を向いて配置したことによって、剃り残し部分を剃ることができる剃刀カートリッジや、Ｔ型一体式の髭剃り用具を提供することができる。
【００２８】  さらに、各剃刀刃間に配置する剃刀刃を、剃刀刃支持部材の一方及び、他方における各剃刀刃と刃渡りが同一寸法で形状が統一された剃刀刃を採用することによって、使用する剃刀刃の統一化が図れ、剃刀カートリッジや、Ｔ型一体式の髭剃り用具を安価に提供することができる。
【発明を実施するための最良の形態】
【００２９】  以下、添付図面〔図１乃至図２２〕を参照しながら本発明の各髭剃り用具を説明する。【００３０】  本発明の各髭剃り用具は、剃刀刃支持部材の縦方向中心線Ａ−Ａ´を挟んだ一方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、また、剃刀刃支持部材の縦方向中心線Ａ−Ａ´を挟んだ他方に、一辺に剃り刃を有す複数の剃刀刃を、前記各剃刀刃における刃先一辺が前記縦方向中心線Ａ−Ａ´と一直角及び、二直角以外の同一角度を成すとともに、剃る方向に略向かうようにある間隔を持って平行状に積み重ね、前記一方及び、他方における各剃刀刃の刃先一辺で、前記縦方向中心線Ａ−Ａ´を挟んで対称形状を形造るように配置し固定した。【００３１】  前記剃刀刃支持部材の縦方向中心線Ａ−Ａ´を挟んだ一方及び、他方の各剃刀刃における刃先一辺が前記縦方向中心線Ａ−Ａ´と一直角及び、二直角以外の同一角度を成すように設定したことにより、前記各剃刀刃の刃先一辺は、前記縦方向中心線Ａ−Ａ´に対して傾斜し、結果的に、髭や体毛等を剃りやすく、また、髭や体毛、肌等に対しても優しく対応すると同時に、剃刀刃への負担が軽減され、剃刀刃の耐久性の向上も図れる。【００３２】  また、前記縦方向中心線Ａ−Ａ´を挟んだ一方及び、他方の各剃刀刃の刃先一辺が対称形状を形造るように前記剃刀刃支持部材に配置し固定したことにより、前記一方の各剃刀刃の刃先一辺と前記他方の各剃刀刃の刃先一辺で形造る各々の菱形における一つの対角線は、前記縦方向中心線Ａ−Ａ´上に重なり、髭剃り用具の直進性を高める。【００３３】  そして、本発明の髭剃り用具における剃刀カートリッジを各実施形態によって具体的に添付図面〔図１乃至図１３〕を参照しながら説明する。【００３４】  図１において、筐体１に包含された剃刀刃支持部材２における縦方向中心線Ａ−Ａ´〔以下、縦方向中心線Ａ−Ａ´と表記する〕を挟んだ一方及び、他方それぞれに、一辺に剃り刃を有す複数の剃刀刃３ａ、３ｂ、３ｃ、３ｄ及び、剃刀刃３ｅ、３ｆ、３ｇ、３ｈを、前記剃刀刃支持部材２の一方及び、他方における前記各剃刀刃３ａ、３ｂ、３ｃ、３ｄ及び、剃刀刃３ｅ、３ｆ、３ｇ、３ｈの刃渡りを二等分する刃渡り二等分線Ｂ−Ｂ´〔以下、刃渡り二等分線Ｂ−Ｂ´と表記する〕が前記縦方向中心線Ａ−Ａ´と直交し、前記剃刀刃支持部材２の一方及び、他方における前記各剃刀刃３ａ、３ｂ、３ｃ、３ｄ及び、剃刀刃３ｅ、３ｆ、３ｇ、３ｈの刃先が前記縦方向中心線Ａ−Ａ´に略向かうとともに、前記剃刀刃支持部材２の一方及び、他方における前記各剃刃刃３ａ、３ｂ、３ｃ、３ｄ及び、剃刀刃３ｅ、３ｆ、３ｇ、３ｈの刃先延長線一方が前記縦方向中心線Ａ−Ａ´と前記刃渡り二等分線Ｂ−Ｂ´との交点Ｐより前記縦方向中心線Ａ−Ａ´上の剃る方向と反対側で交差するようにある間隔を持って平行状に積み重ね、前記剃刀刃支持部材２の一方及び、他方における前記各剃刀刃３ａ、３ｂ、３ｃ、３ｄ及び、剃刀刃３ｅ、３ｆ、３ｇ、３ｈの刃先一辺で、同一表面上に略台形状を形造るように配置し固定した。【００３５】  ��記剃刀刃支持部材２を包含する前記筐体１の裏側には、図２の髭剃り用具使用者が握る棒状の柄からなる剃刀カートリッジ式の髭剃り用具把持部材６側の着脱装置７と対を成す、図１及び、図３の取り付け部４が設けられて剃刀カートリッジ５を構成している。【００３６】  そして、前記剃刀カートリッジ５の取り付け部４が前記剃刀カートリッジ式の髭剃り用具把持部材６側の着脱装置７に装着されて剃刀カートリッジ式の髭剃り用具を成す。さらに、装着後の前記剃刀カートリッジ５は、剃刀カートリッジ式の髭剃り用具使用時に、髭剃り用具把持部材６側の緩衝装置７ａよって肌と適切な位置に保持される。
また、後述する剃刀カートリッジ２６においても、前記剃刀カートリッジ式の髭剃り用具把持部材に装着されて剃刀カートリッジ式の髭剃り用具を成す。【００３７】  前記剃刀カートリッジ５の縦方向中心線Ａ−Ａ´は、髭剃り用具における剃り方向中心線に重なるように設定され、また、刃渡り二等分線Ｂ−Ｂ´は、前記縦方向中心線Ａ−Ａ´と直交し、横方向中心線Ｃ−Ｃ´と平行するか、重なるように設定されている。〔但し、図１において、横方向中心線Ｃ−Ｃ´は図示していない。〕【００３８】  図１においては、説明上、剃刀刃支持部材２の一方及び、他方それぞれに、一辺に剃り刃を有す剃刀刃を四枚ずつ配置しているが、必ずしも四枚でなければならないというものではなく、一枚乃至複数枚の剃刀刃を適宜選択しても勿論よい。また、図１及び、図２では、剃った髭や体毛等が前記筐体１から排出される孔や、前記剃刀刃支持部材２を構成する縦枠部と横枠部等は、本発明における趣旨と直接的には関係がなく、よって、図示していない。以下続く、他の実施形態における図面も同様である。【００３９】  前記剃刀刃支持部材２及び、前記剃刀刃支持部材２を包含する前記筐体１は、各剃刀刃３ａ乃至３ｈを確実に固定することができ、また、安価に製造可能な構造が望ましく、前記剃刀刃支持部材２の一例として、縦方向中心線Ａ−Ａ´と平行状に複数箇所、剃刀刃刃渡り方向に小分けされた縦枠部と、横枠部とから略平板状に一体構成された剃刀刃支持部材が考えられる。また、前記縦枠部は、縦方向中心線Ａ−Ａ´と同方向で平行状に設定した場合や、剃刀刃の刃渡り方向と直交する方向に設定した他の剃刀刃支持部材の実施形態が考えられる。【００４０】  前記剃刀刃支持部材の構造を始め、前記剃刀刃支持部材に前記各剃刀刃を固定する方法や、前記剃刀刃支持部材を包含する前記筐体の構造、また、前記剃刀刃支持部材を前記筐体に保持又は固定する方法等に関しては、既に実用化されている剃刀カートリッジ式や、Ｔ型一体式の髭剃り用具における構造や、固定方法等を参考にするとよい。【００４１】  上述した実施形態では、一体式の剃刀刃支持部材を採用したが、前記縦方向中心線Ａ−Ａ´を挟んで、前記剃刀刃支持部材の一方を一方の分割式剃刀刃支持部材として単体で製造し、また、前記剃刀刃支持部材の他方を他方の分割式剃刀刃支持部材として単体で製造し、それぞれに各剃刀刃を固定する分割式の剃刀刃支持部材も考えられ、各剃刀刃を固定し筐体に包含された後は、前記一体式の剃刀刃支持部材と同様な機能を発揮する。【００４２】  そして、前記剃刀刃支持部材２の一方及び、他方に採用する各剃刀刃３ａ乃至３ｈには、剃刀カートリッジを安価に製造することが可能な、刃渡りが同一寸法で形状が統一された剃刀刃を採用した。但し、剃刀刃の目的である、髭や体毛等を剃る作業を、安全且つ迅速に行うことができ、また、安価に製造でき、剃刀刃支持部材に固定しやすい形状等、諸条件を鑑みた上で、他の剃刀刃の採用や、他の剃刀刃との組み合わせも充分に考えられる。【００４３】  上述した実施形態を説明する図１は、各剃刀刃３ａ乃至３ｈの刃先一辺によって、前記各剃刀刃３ａ乃至３ｈの配置位置関係や、前記各剃刀刃３ａ乃至３ｈの縦方向中心線Ａ−Ａ´に対���る傾斜方向等を表すことを目的とした概略正面図で、採用する剃刀刃は特定していない。【００４４】  本発明の各実施形態で採用する各剃刀刃は、単体での剃刀刃を上下方向から見た平面形状が矩形状に成形された剃刀刃や、平面形状が平行四辺形状に成形された剃刀刃、また、平面形状が台形状に成形され、前記台形の上底や、下底に剃り刃を有す剃刀刃等の採用が考えられ、各形状の前記剃刀刃を採用した場合には、その剃刀刃を固定する側の剃刀刃支持部材においても上述した剃刀刃の各形状に対応可能な形状に形造られている。【００４５】  そして、前記剃刀刃支持部材２の一方における剃刀刃３ａ、３ｂ、３ｃ、３ｄ及び、他方における剃刀刃３ｅ、３ｆ、３ｇ、３ｈの刃先一辺で前記縦方向中心線Ａ−Ａ´を挟んだ同一表面上又は、略同一表面上に略台形状が形造られ、また、前記剃刀刃支持部材の一方における各剃刀刃３ａ、３ｂ、３ｃ、３ｄの刃先を一辺とし、前記剃刀刃支持部材の他方における各剃刀刃３ｅ、３ｆ、３ｇ、３ｈの刃先を一辺とした場合に、各剃刀刃３ａ乃至３ｈが同一寸法で統一された形状の剃刀刃を採用したことにより、前記両辺で形造る各々の菱形における一つの対角線は、前記縦方向中心線Ａ−Ａ´上で、且つ、髭剃り用具の剃り方向中心線に重なり、剃刀カートリッジ式の髭剃り用具の直進性を高める。【００４６】  前記剃刀刃支持部材２の一方及び、他方における各剃刀刃３ａ乃至３ｈの刃先一辺で形造る略台形状の表面は、同一表面又は、略同一表面を形造り、さらに、利用者側の肌面に対して、各剃刀刃３ａ乃至３ｈが同一又は、略同一の傾斜角度で配列されている。【００４７】  また、前記剃刀刃支持部材２の一方及び、他方における各剃刀刃３ａ乃至３ｈの刃先一辺で形造る略台形状の表面が、前記縦方向中心線Ａ−Ａ´を中心に湾出又は、湾曲した形状を形造る剃刀刃支持部材も考えられ、剃刀カートリッジ式の髭剃り用具使用時のみ湾曲する形状を剃刀刃支持部材によって形造る剃刀刃支持部材の構造も考えられる。【００４８】  上述した剃刀カートリッジ５において、剃刀刃支持部材２が筐体１に保持され包含された場合とは、各剃刀刃３ａ乃至３ｈが剃刀刃支持部材２に固定され、さらに前記剃刀刃支持部材２が、筐体１に前進位置と中立位置と後退位置との間で僅かに可動可能な状態で保持されているということである。以下続く、他の実施形態においても同様である。【００４９】  また、剃刀刃支持部材２が筐体１に固定され包含された場合とは、各剃刀刃３ａ乃至３ｈが剃刀刃支持部材２に固定され、さらに前記剃刀刃支持部材２が筐体１に嵌め込まれ前記筐体１と一体化されている場合や、さらに、筐体と剃刀刃支持部材が一体化した筐体兼剃刀刃支持部材に直接、各剃刀刃が固定されているということである。以下続く、他の実施形態においても同様である。
前記筐体兼剃刀刃支持部材の裏側には、髭剃り用具使用者が握る棒状の柄からなる剃刀カートリッジ式の髭剃り用具把持部材側に着脱する取り付け部が設けられている。【００５０】  本発明の実施形態や、後述する他の実施形態で採用する剃刀刃は、単体での剃刀刃を上下方向から見た平面形状が矩形状に成形された剃刀刃や、また、図４のように、平面形状が平行四辺形状に成形された剃刀刃８、さらに、図５のように、平面形状が台形状に成形され、下底に剃り刃を有す剃刀刃９や、図６のように、平面形状が台形状に成形され、上底に剃り刃を有す剃刀刃１０等の採用が考えられる。矩形状に成形した前記剃刀刃を始め、平行四辺形状の前記剃刀刃８、台形状の前記剃刀刃９又は、剃刀刃１０等の選択においては、用途・コスト等を鑑み、適宜選択することとする。【００５１】  単体での剃刀刃を上下方向から見た平面形状が矩形状に成形された剃刀刃では、従来より各種髭剃り用具の剃刀刃として採用されている実績があり、設計技術や、製造技術等が確立され、剃刀刃を安価に製造することが出来る。【００５２】  そして、図４のように、単体での剃刀刃を上下方向から見た平面形状が平行四辺形状に成形され、一辺に剃り刃を有す前方部分１１と、前記前方部分１１と向かい合う後方部分１２と、前記前方部分１１から前記後方部分１２まで延びる一方の側面部分１３及び、他方の側面部分１４と、を有す前記剃刀刃８では、帯状の剃刀刃一方側に刃付けを施した素材から、一枚の平行四辺形状の剃刀刃８を平行四辺形状に連続して切断加工することにより、素材を無駄なく平行四辺形状の剃刀刃８に加工し製造することが出来る。【００５３】  また、図５のように、単体での剃刀刃を上下方向から見た平面形状が、一組の対辺が平行する台形状に成形され、下底一辺に剃り刃を有す下底前方部分１５と、前記下底前方部分１５と向かい合う上底後方部分１６と、前記下底前方部分１５から前記上底後方部分１６まで延びる一方の脚部分１７及び、他方の脚部分１８と、を有す台形状の剃刀刃９や、図５の剃刀刃と同様に、平面形状が、一組の対辺が平行する台形状に成形されているが、図６のように、上底一辺に剃り刃を有す上底前方部分１９と、前記上底前方部分１９と向かい合う下底後方部分２０と、前記上底前方部分１９から前記下底後方部分２０まで延びる一方の脚部分２１及び、他方の脚部分２２と、を有す台形状の剃刀刃１０も考えられる。【００５４】  図５のように、台形状の下底一辺に剃り刃を有す剃刀刃９では、矩形状の剃刀刃や、前記平行四辺形状の剃刀刃８と比べて、縦横寸法が限定された剃刀カートリッジにおいては、剃刀刃の刃先を長く確保することができる。【００５５】  また、台形状の前記剃刀刃９や、台形状の前記剃刀刃１０において、下底前方部分１５の両端や、上底前方部分１９の両端にある二つの内角が互いに等しい等脚台形状に形成した場合には、剃刀刃支持部材側への組み付け時において、剃刀刃の前方部分と後方部分との判別のみで剃刀刃支持部材側へ取り付けられる。さらに、剃刀刃支持部材側における剃刀刃の定着位置の設定によっては、縦方向中心線Ａ−Ａ´との成す角を、四十五度を含んで四十五度以外に配置・固定することもできる。【００５６】  ��らに、等脚台形状の前記剃刀刃９や、前記剃刀刃１０を製造するときには、一方側に刃付けを施した帯状の剃刀刃素材上に、方向を揃えて隣り合うように両剃刀刃を取り、隣り合う前記両剃刀刃の対辺となる各々の脚部分を切断することによって、等脚台形状の剃刀刃を製造することができる。【００５７】  上述した平行四辺形状に成形された前記剃刀刃８や、台形状に成形された前記剃刀刃９又は、台形状に成形された前記剃刀刃１０は、矩形状に成形された剃刀刃と同様に、剃刀刃支持部材の一方に前記剃刀刃の一方面を表面にして配置し、剃刀刃支持部材の他方に前記剃刀刃の他方面を表面にして配置することができ、剃刀刃支持部材の一方及び、他方で兼用して使用することができる。【００５８】  尚、上述した、矩形状の剃刀刃や、平行四辺形状の剃刀刃、また、台形状の剃刀刃等においては、剃り刃を有す一辺を剃刀刃の前方部分とし、さらに、剃り刃を有す一辺が剃る方向を略向くように剃刀刃支持部材に配置・固定されている。【００５９】  前記剃刀刃支持部材２の一方及び、他方における各剃刀刃３ａ乃至３ｈは、前記各剃刀刃３ａ乃至３ｈの刃先の両端部を除いた刃先以外が、髭剃り用具使用時に、直接肌に触れないように、前記剃刀刃支持部材２の外枠や前記筐体１等によって覆われている。
但し、各剃刀刃における一辺に剃り刃を有す前方部分と一方の側面部分の頂点や、前記前方部分と他方の側面部分の頂点を、円弧状等に整形を施し、その部分の安全性を確保した剃刀刃においては、その部分を覆わない実施形態も考えられる。【００６０】  そして、図１における剃刀刃支持部材２の一方及び、他方の各剃刀刃３ａ乃至３ｈの内、縦方向中心線Ａ−Ａ´に最も近くに位置する剃刀刃３ｄと剃刀刃３ｅ間や、縦方向中心線Ａ−Ａ´から最も離れて位置する剃刀刃３ａと剃刀刃３ｈのそれぞれ外側に、刃渡りを短かく設定した剃刀刃を加え組み合わせた実施形態も考えられる。【００６１】  図７は、その実施形態で、刃渡りが同一寸法で形状が統一された剃刀刃２３ｂ乃至剃刀刃２３ｅ及び、剃刀刃２３ｈ乃至剃刀刃２３ｋの内、縦方向中心線Ａ−Ａ´に最も近くに位置する剃刀刃２３ｅと剃刀刃２３ｈ間に、刃渡りを、前記剃刀刃２３ｂ乃至剃刀刃２３ｅ及び、剃刀刃２３ｈ乃至剃刀刃２３ｋの刃渡りより短かく設定した剃刀刃２３ｆと２３ｇを加え、また、縦方向中心線Ａ−Ａ´から最も離れて位置する剃刀刃２３ｂと剃刀刃２３ｋそれぞれの外側に、刃渡りを、前記剃刀刃２３ｂ乃至剃刀刃２３ｅ及び、剃刀刃２３ｈ乃至剃刀刃２３ｋの刃渡りより短かく設定した剃刀刃２３ａと剃刀刃２３ｌそれぞれを加え組み合わせた。【００６２】  刃渡りを短かく設定した前記剃刀刃２３ｆにおける他方の脚部分ソ及び、前記剃刀刃２３ｇにおける他方の脚部分ツは、刃渡りが同一寸法で形状が統一された他の剃刀刃２３ｂ乃至剃刀刃２３ｅ及び、他の剃刀刃２３ｈ乃至剃刀刃２３ｋにおける他方の各脚部分カ、ヨ、タ、レ及び、他方の各脚部分ネ、ナ、ラ、ム、と、刃渡り二等分線Ｂ−Ｂ´から同位置又は、略同位置となるように配置され、また、刃渡りを短かく設定した前記剃刀刃２３ａにおける一方の脚部分イ及び、前記剃刀刃２３ｌにおける一方の脚部分ヲは、刃渡りが同一寸法で形状が統一された他の剃刀刃２３ｂ乃至剃刀刃２３ｅ及び、剃刀刃２３ｈ乃至剃刀刃２３ｋにおける一方の各脚部分ロ、ハ、ニ、ホ及び、一方の各脚部分チ、リ、ヌ、ルと、刃渡り二等分線Ｂ−Ｂ´から同位置又は、略同位置となるように配置されている。【００６３】  図７は、台形状に成形され下底一辺に剃り刃を有し、刃渡りが異なる剃刀刃を組み合わせた。また、図７は、各剃刀刃２３ａ乃至２３ｌが平面上に配列し、縦方向中心線Ａ−Ａ´から両外側方向にそれぞれ引き離した状態で配置した配列説明図である。【００６４】  図７では、各剃刀刃２３ａ乃至２３ｌの刃先で、縦方向中心線Ａ−Ａ´を挟んだ同一表面上に略矩形状により近い形状を形造ることができ、縦横寸法を限定した剃刀カートリッジにおいては、略台形状を形造った場合よりも剃刀刃の刃先を長く確保することが出来る。【００６５】  そして、上述した図１の本発明の剃刀カートリッジにおける実施形態では、剃刀刃支持部材２の一方における剃刀刃３ａ、３ｂ、３ｃ、３ｄ及び、他方における剃刀刃３ｅ、３ｆ、３ｇ、３ｈの刃先延長線一方が、前記縦方向中心線Ａ−Ａ´と刃渡り二等分線Ｂ−Ｂ´との交点Ｐより前記縦方向中心線Ａ−Ａ´上の剃る方向と反対側で交差し、前記各剃刀刃３ａ乃至３ｈはそれぞれ縦方向中心線Ａ−Ａ´に略向いたが、図８のように、縦方向中心線Ａ−Ａ´を挟んだ剃刀刃支持部材２５の一方及び、他方における剃刀刃２４ａ、２４ｂ、２４ｃ、２４ｄ及び、他方における剃刀刃２４ｅ、２４ｆ、２４ｇ、２４ｈの刃先延長線一方が、前記縦方向中心線Ａ−Ａ´と刃渡り二等分線Ｂ−Ｂ´との交点Ｐより前記縦方向中心線Ａ−Ａ´上の剃る方向と同方向側で交差し、前記各剃刀刃２４ａ乃至２４ｈがそれぞれ縦方向中心線Ａ−Ａ´と略反対方向を向き、前記各剃刀刃２４ａ乃至２４ｈの刃先一辺で同一表面上に略逆台形を形造るように配置して固定した他の剃刀カートリッジ２６も考えられる。【００６６】  図８の剃刀カートリッジにおける実施形態においても、図１の剃刀カートリッジにおける実施形態と同様に、各剃刀刃は、縦方向中心線Ａ−Ａ´に対して傾斜して剃刀刃台に配置・固定され、剃刀カートリッジ式の髭剃り用具の直進性を高めている。【００６７】  また、上述した図８の剃刀カートリッジに、上述した図７のように、刃渡りが長い剃刀刃に、刃渡りが短い剃刀刃を加え組み合わせた他の剃刀カートリッジも考えられる。【００６８】  そして、上述した図１や、図８の各実施形態における縦方向中心線Ａ−Ａ´を挟んだ剃刀刃支持部材の一方及び、他方の各剃刀刃３ａ乃至３ｈ〔図１〕や、各剃刀刃２４ａ乃至２４ｈ〔図８〕それぞれの前方部分と後方部分に、剃刀刃２８と、剃刀刃２９を、前記剃刀刃２８と、剃刀刃２９の刃先が、横方向中心線Ｃ−Ｃ´と平行するとともに、剃る方向を向いて配置した図９の実施形態が考えられる。【００６９】  前記剃刀刃２８の刃渡りは、縦方向中心線Ａ−Ａ´を挟んだ剃刀刃支持部材の一方及び、他方の各剃刀刃の内、最も離れて位置する両剃刀刃における前方部分間の長さを有し、また、前記剃刀刃２９の刃渡りは、少なくとも、縦方向中心線Ａ−Ａ´を挟んだ剃刀刃支持部材の一方及び、他方の各剃刀刃の内、最も離れて位置する両剃刀刃における後方部分間の長さを有すか、又は、最も離れて位置する両剃刀刃の前方部分間の長さを有す前記剃刀刃２８を採用する場合も考えられる。図９の実施形態では、図１の一実施形態における一方の各剃刀刃３ａ乃至３ｄ及び、他方の各剃刀刃３ｅ乃至３ｈの前方部分に剃刀刃２８を、また、後方部分に剃刀刃２９を配置した場合の説明図である。【００７０】  また、図１０のように、上述した図１や、図８の各実施形態における縦方向中心線Ａ−Ａ´を挟んだ剃刀刃支持部材の一方及び、他方の各剃刀の前方部分に、剃刀刃３１を、前記剃刀刃３１の刃先が、横方向中心線Ｃ−Ｃ´と平行するとともに、剃る方向を向いて配置した実施形態が考えられる。【００７１】  前記剃刀刃３１の刃渡りは、縦方向中心線Ａ−Ａ´を挟んだ剃刀刃支持部材の一方及び、他方の各剃刀刃における最も離れて位置する両剃刀刃の前方部分間の長さを有している。図１０の実施形態では、図１の実施形態における、一方の各剃刀刃３ａ乃至３ｄ及び、他方の各剃刀刃３ｅ乃至３ｈの前方部分に剃刀刃３１を配置した場合の説明図である。【００７２】  また、図１１のように、上述した図１や、図８の各実施形態における縦方向中心線Ａ−Ａ´を挟んだ剃刀刃支持部材の一方及び、他方の各剃刀の後方部分に、剃刀刃３３を、前記剃刀刃３３の刃先が、横方向中心線Ｃ−Ｃ´と平行するとともに、剃る方向を向いて配置した実施形態が考えられる。【００７３】  前記剃刀刃３３の刃渡りは、縦方向中心線Ａ−Ａ´を挟んだ剃刀刃支持部材の一方及び、他方の各剃刀刃における最も離れて位置する両剃刀刃の後方部分間の長さを有している。図１１の実施形態では、図１の一実施形態における、一方の各剃刀刃３ａ乃至３ｄ及び、他方の各剃刀刃３ａ乃至３ｄの後方部分に剃刀刃３３を配置した場合の説明図である。【００７４】  上述した各実施形態のように、剃刀刃を、縦方向中心線Ａ−Ａ´を挟んだ剃刀刃支持部材の一方の各剃刀刃及び、他方の各剃刀刃すべての前方部分と後方部分や、前方部分又は、後方部分に配置し組み合わせたことにより、縦方向中心線Ａ−Ａ´に最も近くに位置する剃刀刃間の剃り残し部分を剃ることができ、特に、一方の各剃刀刃及び、他方の各剃刀刃の前方部分と後方部分に剃刀刃を配置した図９の実施形態や、一方の各剃刀刃及び、他方の各剃刀刃の後方部分に剃刀刃を配置した図１１の実施形態では、もみ上げ部を整える作業を効果的に行うことができる。【００７５】  また、上述した図９の実施形態における後方部分に配置した剃刀刃２９や、図１１の実施形態における後方部分に配置した剃刀刃３３の刃先は、縦方向中心線Ａ−Ａ´を挟んだ剃刀刃支持部材の一方及び、他方の各剃刀刃の刃先で形造る同一表面上又は、略同一表面上と同位置に前記剃刀刃２９及び、剃刀刃３３を配置した実施形態や、前記同一表面上又は、略同一表面上より僅かに低い位置に配列するように前記剃刀刃２９及び、剃刀刃３３を配置した実施形態が考えられる。【００７６】  後方部分に配置した剃刀刃の刃先が、同一表面上又は、略同一表面上より僅かに低い位置に配列した実施形態の場合、通常の髭や体毛等を剃る時には、縦方向中心線Ａ−Ａ´を挟んだ剃刀刃支持部材の一方の各剃刀刃及び、他方の各剃刀刃が主に担い、もみ上げ部を整える作業を行う時のみ、髭剃り用具を立て気味にして、後方部分に配置した剃刀刃で担うようにすると後方部分に配置した剃刀刃の耐久性を高められる。【００７７】  そして、図１２のように、図１の実施形態における、縦方向中心線Ａ−Ａ´を挟んだ剃刀刃支持部材の一方及び、他方における各剃刀刃３ａ乃至３ｈの内、縦方向中心線Ａ−Ａ´に最も近くに位置する一方の剃刀刃３ｄと他方の剃刀刃３ｅ間に、剃刀刃３５を、前記剃刀刃３５の刃先が、横方向中心線Ｃ−Ｃ´の前方で前記横方向中心線Ｃ−Ｃ´と平行し、剃る方向を向いて配置し固定した他の実施形態も考えられる。【００７８】  また、図１３のように、図８の実施形態における、縦方向中心線Ａ−Ａ´を挟んだ剃刀刃支持部材の一方及び、他方における各剃刀刃２４ａ乃至２４ｈの内、縦方向中心線Ａ−Ａ´に最も近くに位置する一方の剃刀刃２４ｄと他方の剃刀刃２４ｅ間に、剃刀刃３７を、前記剃刀刃３７の刃先が、横方向中心線Ｃ−Ｃ´の後方で前記横方向中心線Ｃ−Ｃ´と平行し、剃る方向を向いて配置し固定した他の実施形態も考えられる。【００７９】  上述した図１２、図１３の各実施形態における両剃刀刃間に加える剃刀刃３５、剃刀刃３７は、図１、図８の各実施形態における剃刀刃支持部材の一方及び他方の各剃刀刃に採用した剃刀刃と刃渡りが同一寸法で形状が統一された同仕様の剃刀刃を採用した。また、刃渡りや、形状が異なる剃刀刃の採用も考えられる。【００８０】  さらに、上述した図１２、図１３の各実施形態に対して、縦方向中心線Ａ−Ａ´を挟んだ一方の各剃刀刃及び、他方の各剃刀刃における、前方部分と後方部分や、前方部分又は、後方部分を覆う刃渡りを有す剃刀刃を配置し、組み合わせた他の実施形態も考えられる。【００８１】  そして、髭剃り用具使用時に前記髭剃り用具の横滑りを防止し直進性を高めるために、各剃刀刃を固定した剃刀刃支持部材に細いワイヤーを巻きつけ、剃刀刃の刃渡り方向に小分けした刃先表面に露出したワイヤー部分によって、髭剃り用具の直進性を高める方法が考案され実用化さているが、本発明では、各剃刀刃の刃先が、前記縦方向中心線Ａ−Ａ´に対して傾斜するように各剃刀刃を固定しているため、本発明にワイヤーによる直進性を高める方法を採用した場合には、剃刀刃の刃先表面に露出したワイヤー部分が、前記縦方向中心線Ａ−Ａ´に対して平行状に露出するように、剃刀刃支持部材側にワイヤーの案内部を設けるとよい。【００８２】  また、横滑りを防止し直進性を高めるために、剃刀カートリッジの縦方向中心線Ａ−Ａ´上や剃刀カートリッジ両端部それぞれに、前記縦方向中心線Ａ−Ａ´上又は、平行した位置に誘導部材を設けた実施形態も考えられる。前記誘導部材は、剃刀刃支持部材の一方及び、他方における各剃刀刃の刃先で形造る略台形状の同一表面又は、略同一表面より僅かに突出して設けられている。前記誘導部材は、剃刀刃支持部材側に設けた場合と、筐体側に設けた場合が考えられる。
以上、本発明の髭剃り用具における剃刀カートリッジの各実施形態について説明した。【００８３】  次に、本発明の髭剃り用具におけるＴ型一体式の髭剃り用具を各実施形態によって具体的に添付図面〔図１４乃至図２１〕を参照しながら説明する。【００８４】  Ｔ型一体式の髭剃り用具は、上述した各剃刀カートリッジと、髭剃り用具使用者が握る棒状の柄からなる剃刀カートリッジ式の髭剃り用具把持部材と、が一体化し構成された髭剃り用具で、前記Ｔ型一体式の髭剃り用具を構成する剃刀刃支持部材を始め、前記剃刀刃支持部材に固定する剃刀刃の種類、前記剃刀刃の配置関係等に関しては、基本的に上述した剃刀カートリッジと略共通している。【００８５】  図１４は、Ｔ型一体式の髭剃り用具における実施形態の概略正面図で、前記Ｔ型一体式の髭剃り用具の縦方向中心線Ａ−Ａ´〔以下、縦方向中心線Ａ−Ａ´と表記する〕を挟んだ剃刀刃支持部材４０の一方及び、他方それぞれに、一辺に剃り刃を有す複数の剃刀刃４１ａ、４１ｂ、４１ｃ、４１ｄ及び、４１ｅ、４１ｆ、４１ｇ、４１ｈを、前記剃刀刃支持部材４０の一方及び、他方における各剃刀刃４１ａ乃至４１ｈの刃渡りを二等分する中心線Ｂ−Ｂ´〔以下、刃渡り二等分線Ｂ−Ｂ´と表記する〕が前記縦方向中心線Ａ−Ａ´と直交し、前記剃刀刃支持部材４０の一方及び、他方における各剃刀刃４１ａ乃至４１ｈの刃先が、前記縦方向中心線Ａ−Ａ´に略向かうようにある間隔を持って平行状に積み重ね、前記剃刀刃支持部材４０の一方及び、他方における各剃刀刃４１ａ乃至４１ｈの刃先延長線一方が、前記縦方向中心線Ａ−Ａ´と前記刃渡り二等分線Ｂ−Ｂ´との交点Ｐより前記縦方向中心線Ａ−Ａ´上の剃る方向と反対側で交差し、前記剃刀刃支持部材４０の一方及び、他方における各剃刀刃４１ａ乃至４１ｈの刃先で同一表面上に略台形状を形造るように配置して固定した。【００８６】  そして、前記剃刀刃支持部材４０が、全体形がＴ型で棒状の柄からなる把持部とで構成されたＴ型一体式の髭剃り用具把持部材４２に保持又は、一体化されてＴ型一体式の髭剃り用具４３を成している。【００８７】  前記Ｔ型一体式の髭剃り用具の把持部材４２が、前記剃刀刃支持部材４０を保持する場合とは、上述した剃刀カートリッジにおける筐体か又は、筐体と同様な機能を有す構造を有し、前記剃刀刃支持部材４０が、前記筐体か又は、前記筐体と同様な機能を有す構造に前進位置と中立位置と後退位置との間で僅かに可動可能な状態が保持されているということであり、【００８８】  また、前記Ｔ型一体式の髭剃り用具の把持部材４２が、前記剃刀刃支持部材４０を一体化する場合とは、前記剃刀刃支持部材が筐体に嵌め込まれ、前記筐体が、前記Ｔ型一体式の髭剃り用具の把持部材４２側に一体化されているか又は、前記剃刀刃支持部材が筐体を介さず、前記Ｔ型一体式の髭剃り用具の把持部材４２側に直接固定されているということである。後述する図１５の実施形態においても同様である。【００８９】  上述したＴ型一体式の髭剃り用具４３の実施形態に対して、図１５のように、剃刀刃支持部材４４における一方及び、他方それぞれの各剃刀刃４５ａ乃至４５ｈの刃先延長線一方が、前記縦方向中心線Ａ−Ａ´と前記刃渡り二等分線Ｂ−��´との交点Ｐより前記縦方向中心線Ａ−Ａ´上の剃る方向と同方向側で交差し、前記剃刀刃支持部材４４の一方及び、他方における各剃刀刃４５ａ乃至４５ｈの刃先一辺で同一表面上に略逆台形を形造るように、前記剃刀刃支持部材４４における一方及び、他方それぞれの各剃刀刃４５ａ乃至４５ｈを配置して固定した他のＴ型一体式の髭剃り用具４６も考えられる。前記剃刀刃支持部材４４は、前記Ｔ型一体式の髭剃り用具把持部材４７に保持又は、一体化されてＴ型一体式の髭剃り用具４６を成す。【００９０】  また、前記Ｔ型一体式の髭剃り用具４３及び、前記Ｔ型一体式の髭剃り用具４６で採用する剃刀刃は、上述した剃刀カートリッジで採用した各剃刀刃と同様な剃刀刃を採用し、剃刀刃の目的である、髭や体毛等を剃る作業を、安全且つ迅速に行うことができ、また、安価に製造でき、剃刀刃支持部材に固定しやすい形状であれば、他の諸条件を鑑みた上で、各種形状の剃刀刃の中から適宜選択することもできる。【００９１】  そして、上述した図１４、図１５の各実施形態における、縦方向中心線Ａ−Ａ´を挟んだ剃刀刃支持部材の一方及び、他方の各剃刀刃の前方部分と後方部分それぞれに、図１６の実施形態のように、各剃刀刃を、前記各剃刀刃の刃先が、横方向中心線Ｃ−Ｃ´と平行するとともに、剃る方向を向いて配置した実施形態が考えられる。図１６の実施形態では、図１４の実施形態に対して、一方の各剃刀刃４１ａ乃至４１ｄ及び、他方の各剃刀刃４１ｅ乃至４１ｈの前方部分に剃刀刃４９を、また、後方部分に剃刀刃５０を配置し固定した。【００９２】  また、図１７のように、図１４、図１５の各実施形態における、縦方向中心線Ａ−Ａ´を挟んだ剃刀刃支持部材の一方及び他方の各剃刀刃の前方部分に、剃刀刃を、前記剃刀刃５１の刃先が、横方向中心線Ｃ−Ｃ´と平行するとともに、剃る方向を向いて配置した実施形態が考えられる。図１７の実施形態では、図１４の実施形態に対して、一方の各剃刀刃４１ａ乃至４１ｄ及び、他方の各剃刀刃４１ｅ乃至４１ｈの前方部分に剃刀刃５１を配置し固定した。【００９３】  また、図１８のように、図１４、図１５の各実施形態における、縦方向中心線Ａ−Ａ´を挟んだ剃刀刃支持部材の一方及び、他方の各剃刀刃の後方部分に、剃刀刃を、前記剃刀刃の刃先が、横方向中心線Ｃ−Ｃ´と平行するとともに、剃る方向を向いて配置した実施形態が考えられる。図１８の実施形態では、図１４の実施形態に対して、一方の各剃刀刃４１ａ乃至４１ｄ及び、他方の各剃刀刃４１ｅ乃至４１ｈの後方部分に剃刀刃５３を配置し固定した。【００９４】  上述した図１６，図１７，図１８の各実施形態において、縦方向中心線Ａ−Ａ´を挟んだ剃刀刃支持部材の一方及び、他方の各剃刀刃すべての前方部分と後方部分〔図１６〕や、前方部分〔図１７〕又は、後方部分〔図１８〕に配置して組み合わせる剃刀刃の刃渡りは、少なくとも、Ｔ型一体式の髭剃り用具の髭剃り方向中心線Ａ−Ａ´から最も遠い両剃刀刃間の長さを有している。【００９５】  剃刀刃を、縦方向中心線Ａ−Ａ´を挟んだ剃刀刃支持部材の一方及び、他方の各剃刀刃すべての前方部分と後方部分や、前方部分又は、後方部分に配置し組み合わせたことにより、縦方向中心線Ａ−Ａ´側の��刀刃間の剃り残し部分を剃ることができ、特に、一方の各剃刀刃及び、他方の各剃刀刃の前方部分と後方部分に剃刀刃を配置した図１６の実施形態や、一方の各剃刀刃及び、他方の各剃刀刃の後方部分に剃刀刃を配置した図１８の実施形態では、もみ上げ部分を整える作業を行うこともできる。【００９６】  さらに、図１９のように、図１４の実施形態における、縦方向中心線Ａ−Ａ´を挟んだ剃刀刃支持部材の一方の各剃刀刃４１ａ乃至４１ｄ及び、剃刀刃支持部材の他方の各剃刀刃４１ｅ乃至４１ｈの内、縦方向中心線Ａ−Ａ´に最も近くに位置する一方の剃刀刃４１ｄ及び、他方の剃刀刃４１ｅ間に、剃刀刃５５を、前記剃刀刃５５の刃先が、横方向中心線Ｃ−Ｃ´の前方で前記横方向中心線Ｃ−Ｃ´と平行し、剃る方向を向いて配置し固定した他の実施形態も考えられる。【００９７】  また、図２０のように、図１５の実施形態における、縦方向中心線Ａ−Ａ´を挟んだ剃刀刃支持部材の一方の各剃刀刃４５ａ乃至４５ｄ及び、剃刀刃支持部材の他方の各剃刀刃４５ｅ乃至４５ｈの内、縦方向中心線Ａ−Ａ´に最も近くに位置する一方の剃刀刃４５ｄ及び、他方の剃刀刃４５ｅ間に、剃刀刃５７を、前記剃刀刃５７の刃先が、横方向中心線Ｃ−Ｃ´の後方で前記横方向中心線Ｃ−Ｃ´と平行し、剃る方向を向いて配置し固定した他の実施形態も考えられる。【００９８】  上述した図１９、図２０の各実施形態における両剃刀刃間に加える剃刀刃５５、剃刀刃５７は、図１４、図１５の各実施形態における剃刀刃支持部材の一方及び、他方の各剃刀刃に採用した剃刀刃と同様な、刃渡りが同一寸法で形状が統一された剃刀刃を採用した実施形態と、刃渡りが異なる剃刀刃や、形状が異なる剃刀刃等の採用した他の実施形態も考えられる。【００９９】  上述した図１９、図２０の各実施形態と、前述した図１６、図１７、図１８の各実施形態と、を組み合わせた実施形態も考えられ、一例として、図２１は、図１８の実施形態と図１９の実施形態と、を組み合わせた実施形態で、縦方向中心線Ａ−Ａ´を挟んだ剃刀刃支持部材の一方及び、他方の各剃刀刃の後方部分に、剃刀刃５９を、前記剃刀刃５９の刃先が、横方向中心線Ｃ−Ｃ´と平行するとともに、剃る方向を向いて配置し、さらに、縦方向中心線Ａ−Ａ´を挟んだ剃刀刃支持部材の一方の各剃刀刃及び、剃刀刃支持部材の他方の各剃刀刃の内、縦方向中心線Ａ−Ａ´に最も近くに位置する一方の剃刀刃及び、他方の剃刀刃間に、剃刀刃６０を、前記剃刀刃６０の刃先が、横方向中心線Ｃ−Ｃ´の前方で前記横方向中心線Ｃ−Ｃ´と平行し、剃る方向を向いて配置し固定した。【０１００】  そして、髭剃り用具使用時の直進性を高めるため、剃刀刃を固定した剃刀刃支持部材に細いワイヤーを巻きつけ、剃刀刃の刃渡り方向に小分けして刃先表面に露出したワイヤー部分によって、髭剃り用具の直進性を高める方法が考案されているが、本発明では、各剃刀刃の刃先が、前記縦方向中心線Ａ−Ａ´に対して直交せず傾斜しているために、本発明にワイヤーによる直進性を高める方法を採用した場合には、剃刀刃の刃先表面に露出したワイヤー部分が、前記縦方向中心線Ａ−Ａ´に対して平行状態で露出するように、剃刀刃支持部材側にワイヤーの案内部を設けるとよい。【０��０１】  さらに、横滑りを防止して直進性を高めるために、剃刀刃支持部材の縦方向中心線Ａ−Ａ´上や、剃刀刃支持部材両端部それぞれに前記縦方向中心線Ａ−Ａ´と平行した位置に誘導部材を設けた実施形態も考えられる。前記誘導部材は、剃刀刃支持部材の一方及び、他方における各剃刀刃の刃先で形造る略台形状の同一表面又は、略同一表面より僅かに突出して設けられている。【０１０２】  Ｔ型一体式の髭剃り用具の各実施形態を説明してきたが、Ｔ型一体式の髭剃り用具の各実施形態に対するさらなる詳細については、上述した剃刀カートリッジにおける各実施形態を参照することとする。【０１０３】  以上、本発明における剃刀カートリッジ式の髭剃り用具における剃刀カートリッジ及び、Ｔ型一体式の髭剃り用具の各実施形態について説明してきた。【０１０４】  上述した剃刀カートリッジの各実施形態や、Ｔ型一体式の髭剃り用具の各実施形態においては、剃刀刃支持部材の一方及び、他方における各剃刀刃の刃渡りを二等分する刃渡り二等分線Ｂ−Ｂ´が、縦方向中心線Ａ−Ａ´と直交するように前記各剃刀刃を前記剃刀刃支持部材に配置して固定したが、剃刀刃支持部材の一方に、一辺に剃り刃を有す複数の剃刀刃を、前記一方の各剃刀刃の刃渡りを二等分する一方の刃渡り二等分線Ｅ−Ｅ´が縦方向中心線Ａ−Ａ´と平行し、また、剃刀刃支持部材の他方に、一辺に剃り刃を有す複数の剃刀刃を、前記他方の各剃刀刃の刃渡りを二等分する他方の刃渡り二等分線Ｆ−Ｆ´が縦方向中心線Ａ−Ａ´と平行するように各剃刀刃を剃刀刃支持部材に配置して固定する実施形態も考えられ、次にその実施形態を説明する。【０１０５】  図２２の剃刀カートリッジ６４では、前記剃刀カートリッジが有す筐体に包含された剃刀刃支持部材６２の縦方向中心線Ａ−Ａ´を挟んだ一方に、一辺に剃り刃を有す複数の剃刀刃６３ａ乃至６３ｄを、前記一方の各剃刀刃６３ａ乃至６３ｄの刃渡りを二等分する一方の刃渡り二等分線Ｅ−Ｅ´が縦方向中心線Ａ−Ａ´と平行し、前記各剃刀刃６３ａ乃至６３ｄの刃先が前記縦方向中心線Ａ−Ａ´に略向かうようにある間隔を持って平行状に積み重ねて、前記一方の各剃刀刃６３ａ乃至６３ｄの刃先一辺で同一表面上に略平行四辺形状を形造る位置に配置して固定し、また、前記剃刀刃支持部材６２の縦方向中心線Ａ−Ａ´を挟んだ他方に、一辺に剃り刃を有す複数の剃刀刃６３ｅ乃至６３ｈを、前記他方の各剃刀刃６３ｅ乃至６３ｈの刃渡りを二等分する他方の刃渡り二等分線Ｆ−Ｆ´が縦方向中心線Ａ−Ａ´と平行し、前記各剃刀刃６３ｅ乃至６３ｈの刃先が前記縦方向中心線Ａ−Ａ´に略向かうようにある間隔を持って平行状に積み重ねて、前記他方の各剃刀刃６３ｅ乃至６３ｈの刃先一辺で同一表面上に略平行四辺形状を形造る位置に配置して固定し、前記剃刀刃支持部材６２が前記筐体に保持又は固定され包含されている。【０１０６】  前記剃刀刃支持部材６２を包含する前記筐体の裏側には、前記筐体を、髭剃り用具使用者が握る棒状の柄からなる剃刀カートリッジ式の髭剃り用具把持部材側に着脱する取り付け部が設けられて剃刀カートリッジ６４を構成し、また、前記剃刀カートリッジ式の髭剃り用具把持部材側には、前記筐体の取り付け部と対を成す着脱装置が設けられている。【０１０７】  前記一方の各剃刀刃６３ａ乃至６３ｄの刃先一辺で同一表面上に形造る略平行四辺形状と、前記他方の各剃刀刃６３ｅ乃至６３ｈの刃先で同一表面上に形造る略平行四辺形状は、前記縦方向中心線Ａ−Ａ´を挟んで矢羽根状を形成する。【０１０８】  図２２の前記剃刀カートリッジ６４では、前記一方の各剃刀刃６３ａ乃至６３ｄの刃先及び、前記他方の各剃刀刃６３ｅ乃至６３ｈの刃先一辺が前記縦方向中心線Ａ−Ａ´と一直角及び、二直角以外の同一角度を成すとともに、剃る方向にある間隔を持って平行状に積み重ねたことにより、前記一方の各剃刀刃６３ａ乃至６３ｄの刃先及び、前記他方の各剃刀刃６３ｅ乃至６３ｈの刃先は、図２２のように前記縦方向中心線Ａ−Ａ´に略向くか又は、反対側を略向くが、いずれにしても、前記一方の各剃刀刃６３ａ乃至６３ｄの刃先及び、前記他方の各剃刀刃６３ｅ乃至６３ｈの刃先は、前記縦方向中心線Ａ−Ａ´に対して傾斜して剃刀刃支持部材に配置して固定される。【０１０９】  また、上述したように、前記剃刀カートリッジ６４では、一方の各剃刀刃の刃渡りを二等分する刃渡り二等分線Ｅ−Ｅ´と、他方の各剃刀刃の刃渡りを二等分する刃渡り二等分線Ｆ−Ｆ´が、前記縦方向中心線Ａ−Ａ´を挟んで平行するように、一方の各剃刀刃及び、他方の各剃刀刃を配置した。よって、剃刀刃を平行状に積み重ねるに従い、前記剃刀カートリッジ６４は、横方向に比べて縦方向に広がる。【０１１０】  そこで、縦方向中心線Ａ−Ａ´を挟んだ剃刀カートリッジ両側に剃刀刃を確保するために、図２２における縦方向中心線Ａ−Ａ´を挟んだ一方の各剃刀刃６３ａ乃至６３ｄと、他方の各剃刀刃６３ｅ乃至６３ｈを一単位とし、図２３の実施形態のように、その一方の各剃刀刃６３ａ乃至６３ｄと、他方の各剃刀刃６３ｅ乃至６３ｈで構成する前記一単位を縦方向中心線Ａ−Ａ´を挟んだ剃刀刃支持部材の一方及び、他方それぞれに配置した並列配置型の剃刀カートリッジ６５が考えられる。【０１１１】  前記並列配置型の剃刀カートリッジ６５では、剃刀刃支持部材の一方及び、他方それぞれに一単位ずつ配置したが、剃刀刃支持部材に三単位配置した剃刀カートリッジや、三単位以上配置した剃刀カートリッジも考えられる。【０１１２】  上述した各剃刀カートリッジと同様に、Ｔ型一体式の髭剃り用具の剃刀刃支持部材に前記縦方向中心線Ａ−Ａ´を挟んだ一方の各剃刀刃６３ａ乃至６３ｄと、他方の各剃刀刃６３ｅ乃至６３ｈを一単位とした一単位を縦方向中心線Ａ−Ａ´を挟んだ剃刀刃支持部材に並列配置したＴ型一体式の髭剃り用具や、三単位又は、三単位以上配置したＴ型一体式の髭剃り用具も考えられる。【０１１３】  さらに、上述した各並列配置型の剃刀カートリッジにおける剃刀刃すべての前方部分と後方部分や、前方部分又は、後方部分に剃刀刃を配置し組み合わせた実施形態や、各Ｔ型一体式の髭剃り用具における剃刀刃すべての前方部分と後方部分や、前方部分又は、後方部分に剃刀刃を配置し組み合わせた実施形態も考えられる。【０１１４】  尚、本発明は、本発明の精神を逸脱しない限り種々の改変を為すことができ、そして、本発明が該改変されたものに及ぶことは当然である。
【図面の簡単な説明】
【０１１５】
【図１】  剃刀カートリッジの実施形態を示す概略正面図。
【図２】  剃刀カートリッジの実施形態を示す概略背面図。
【図３】  剃刀カートリッジ式の髭剃り用具把持部材の実施形態を示す概略外観図。
【図４】  平面形状が平行四辺形状に成形された剃刀刃の実施形態を示す平面図。
【図５】  平面形状が台形状に成形され、下底に剃り刃を有す剃刀刃の実施形態を示す平面図。
【図６】  平面形状が台形状に成形され、上底に剃り刃を有す剃刀刃の実施形態を示す平面図。
【図７】  各剃刀刃を平面上に配列し、縦方向中心線Ａ−Ａ´から両外側方向にそれぞれ引き離した状態で配置した配列説明図。
【図８】  剃刀カートリッジの実施形態を示す概略正面図。
【図９】  図１の剃刀カートリッジにおける前方部分及び、後方部分に剃刀刃を加えた実施形態を示す説明図。
【図１０】  図１の剃刀カートリッジにおける前方部分に剃刀刃を加えた実施形態を示す説明図。
【図１１】  図１の剃刀カートリッジにおける後方部分に剃刀刃を加えた実施形態を示す説明図。
【図１２】  図１の剃刀カートリッジにおける各剃刀刃の内、縦方向中心線Ａ−Ａ´に最も近い一方及び、他方の両剃刀刃間に剃刀刃を加えた実施形態を示す説明図。
【図１３】  図８の剃刀カートリッジにおける各剃刀刃の内、縦方向中心線Ａ−Ａ´に最も近い一方及び、他方の両剃刀刃間に剃刀刃を加えた実施形態を示す説明図。
【図１４】  Ｔ型一体式の髭剃り用具の実施形態を正面から見た概略正面図。
【図１５】  Ｔ型一体式の髭剃り用具の実施形態を正面から見た概略正面図。
【図１６】  図１４のＴ型一体式の髭剃り用具における前方部分及び、後方部分に剃刀刃を加えた実施形態を示す説明図。
【図１７】  図１４のＴ型一体式の髭剃り用具における前方部分に剃刀刃を加えた実施形態を示す説明図。
【図１８】  図１４のＴ型一体式の髭剃り用具における後方部分に剃刀刃を加えた実施形態を示す説明図。
【図１９】  図１４のＴ型一体式の髭剃り用具における縦方向中心線Ａ−Ａ´に最も近い一方及び、他方の両剃刀刃間に剃刀刃を加えた実施形態を示す説明図。
【図２０】  図１５のＴ型一体式の髭剃り用具における縦方向中心線Ａ−Ａ´に最も近い一方及び、他方の両剃刀刃間に剃刀刃を加えた実施形態を示す説明図。
【図２１】  Ｔ型一体式の髭剃り用具における後方部分と、縦方向中心線Ａ−Ａ´に最も近い一方及び、他方の両剃刀刃間に剃刀刃をそれぞれ加えた実施形態を示す説明図。
【図２２】  剃刀カートリッジの実施形態を示す概略正面図。
【図２３】  並列配置型の剃刀カートリッジの実施形態を示す概略正面図。
【符号の説明】１              筐体
２、２５、４０、４４、６２        剃刀刃支持部材
３ａ乃至３ｈ、２３ａ乃至２３ｌ、２４ａ乃至２４ｈ、４１ａ乃至４１ｈ、４５ａ乃至４５ｈ、６３ａ乃至６３ｈ    剃刀刃
４              筐体１側の取り付け部
５、２６，６４  剃刀カートリッジ
６              剃刀カートリッジ式の髭剃り用具把持部材
７              筐体１側の取り付け部４と対を成す髭剃り用具把持部材６側の着脱装置
８              平面形状が平行四辺形状に成形された剃刀刃
９              平面形状が台形状に成形され、下底に剃り刃を有す剃刀刃
１０            平面形状が台形状に成形され、上底に剃り刃を有す剃刀刃
４２、４７      Ｔ型一体式の髭剃り用具把持部材
２８、２９、３１、３３、３５、３７、４９、５０、５１、５３、５５、５７、５９、６０              加えた剃刀刃
４３、４６      Ｔ型一体式の髭剃り用具
６５            並列配置型のＴ型一体式の髭剃り用具
【図１】
2015016284.tif 000003
【図２】
2015016284.tif 000004
【図３】
2015016284.tif 000005
【図４】
2015016284.tif 000006
【図５】
2015016284.tif 000007
【図６】
2015016284.tif 000008
【図７】
2015016284.tif 000009
【図８】
2015016284.tif 000010
【図９】
2015016284.tif 000011
【図１０】
2015016284.tif 000012
【図１１】
2015016284.tif 000013
【図１２】
2015016284.tif 000014
【図１３】
2015016284.tif 000015
【図１４】
2015016284.tif 000016
【図１５】
2015016284.tif 000017
【図１６】
2015016284.tif 000018
【図１７】
2015016284.tif 000019
【図１８】
2015016284.tif 000020
【図１９】
2015016284.tif 000021
【図２０】
2015016284.tif 000022
【図２１】
2015016284.tif 000023
【図２２】
2015016284.tif 000024
【手続補正書】
【提出日】平成25年8月22日(2013.8.22)
【手続補正１】
【補正対象書類名】明細書
【補正対象項目名】０１１５
【補正方法】変更
【補正の内容】
【０１１５】
【図１】  剃刀カートリッジの実施形態を示す概略正面図。
【図２】  剃刀カートリッジの実施形態を示す概略背面図。
【図３】  剃刀カートリッジ式の髭剃り用具把持部材の実施形態を示す概略外観図。
【図４】  平面形状が平行四辺形状に成形された剃刀刃の実施形態を示す平面図。
【図５】  平面形状が台形状に成形され、下底に剃り刃を有す剃刀刃の実施形態を示す平面図。
【図６】  平面形状が台形状に成形され、上底に剃り刃を有す剃刀刃の実施形態を示す平面図。
【図７】  各剃刀刃を平面上に配列し、縦方向中心線Ａ−Ａ´から両外側方向にそれぞれ引き離した状態で配置した配列説明図。
【図８】  剃刀カートリッジの実施形態を示す概略正面図。
【図９】  図１の剃刀カートリッジにおける前方部分及び、後方部分に剃刀刃を加えた実施形態を示す説明図。
【図１０】  図１の剃刀カートリッジにおける前方部分に剃刀刃を加えた実施形態を示す説明図。
【図１１】  図１の剃刀カートリッジにおける後方部分に剃刀刃を加えた実施形態を示す説明図。
【図１２】  図１の剃刀カートリッジにおける各剃刀刃の内、縦方向中心線Ａ−Ａ´に最も近い一方及び、他方の両剃刀刃間に剃刀刃を加えた実施形態を示す説明図。
【図１３】  図８の剃刀カートリッジにおける各剃刀刃の内、縦方向中心線Ａ−Ａ´に最も近い一方及び、他方の両剃刀刃間に剃刀刃を加えた実施形態を示す説明図。
【図１４】  Ｔ型一体式の髭剃り用具の実施形態を正面から見た概略正面図。
【図１５】  Ｔ型一体式の髭剃り用具の実施形態を正面から見た概略正面図。
【図１６】  図１４のＴ型一体式の髭剃り用具における前方部分及び、後方部分に剃刀刃を加えた実施形態を示す説明図。
【図１７】  図１４のＴ型一体式の髭剃り用具における前方部分に剃刀刃を加えた実施形態を示す説明図。
【図１８】  図１４のＴ型一体式の髭剃り用具における後方部分に剃刀刃を加えた実施形態を示す説明図。
【図１９】  図１４のＴ型一体式の髭剃り用具における縦方向中心線Ａ−Ａ´に最も近い一方及び、他方の両剃刀刃間に剃刀刃を加えた実施形態を示す説明図。
【図２０】  図１５のＴ型一体式の髭剃り用具における縦方向中心線Ａ−Ａ´に最も近い一方及び、他方の両剃刀刃間に剃刀刃を加えた実施形態を示す説明図。
【図２１】  Ｔ型一体式の髭剃り用具における後方部分と、縦方向中心線Ａ−Ａ´に最も近い一方及び、他方の両剃刀刃間に剃刀刃をそれぞれ加えた実施形態を示す説明図。
【図２２】  剃刀カートリッジの実施形態を示す概略正面図。